(57)【要約】【課題】確実に誤操作を防止する給水装置用操作部を提供する。【解決手段】給水装置用操作部は、給水装置本体３０に設けられた操作部材５０が操作された際の移動を規制又は許容する。給水装置本体３０に設けられた係止部３７と、操作部材５０に設けられ、係止部３７に係止する回動規制溝部５２Ｄと、係止部３７に設けられ、係止部３７と回動規制溝部５２Ｄとが係止して操作部材５０の移動を規制する規制状態から係止部３７と回動規制溝部５２Ｄとが係止せず操作部材５０の移動を許容する許容状態に係止部３７を移動させるボタン３７Ｂとを備え、回動規制溝部５２Ｄが係止部３７に係止することによって、係止部３７は、規制状態から許容状態にするためにボタン３７Ｂが移動する解除方向Ｒ１に移動し難くなる。【選択図】図７
2020133221.tif 000002
【特許請求の範囲】
【請求項１】
給水装置本体に設けられた操作部材が操作された際の移動を規制又は許容する給水装置用操作部であって、
前記給水装置本体に設けられた係止部と、
前記操作部材に設けられ、前記係止部に係止する被係止部と、
前記係止部又は前記被係止部のいずれか一方に設けられ、前記係止部と前記被係止部とが係止して前記操作部材の移動を規制する規制状態から前記係止部と前記被係止部とが係止せず前記操作部材の移動を許容する許容状態に前記係止部又は前記被係止部のいずれか一方を移動させるボタンと、
を備え、
前記被係止部が前記係止部に係止することによって、前記係止部又は前記被係止部は、前記規制状態から前記許容状態にするために前記ボタンが移動する解除方向に移動し難くなることを特徴とする給水装置用操作部。
【請求項２】
前記ボタンは、前記係止部に設けられ、
前記係止部は、前記規制状態の際に前記被係止部が当接する当接面を有し、
前記当接面は、前記規制状態の際に前記当接面に前記被係止部が当接するように前記操作部材が移動する移動方向に対して、前記解除方向に向かうに従い、前記移動方向に向けて傾斜していることを特徴とする請求項１に記載の給水装置用操作部。
【請求項３】
前記ボタンは、前記被係止部に設けられ、
前記係止部は、前記規制状態の際に前記被係止部が当接する当接面を有し、
前記当接面は、前記規制状態の際に前記当接面に前記被係止部が当接するように前記操作部材が移動する移動方向に対して、前記解除方向に向かうに従い、前記移動方向の反対方向に向けて傾斜していることを特徴とする請求項１に記載の給水装置用操作部。
【請求項４】
前記被係止部は、前記規制状態の際に前記当接面に当接する被当接面を有し、
前記被当接面は、前記移動方向に対して、前記解除方向に向かうに従い、前記移動方向に向けて傾斜しており、
前記係止部の前記当接面が、前記被係止部の前記被当接面より、前記解除方向に向かうに従い、前記移動方向に向けて急峻に傾斜していることを特徴とする請求項２に記載の給水装置用操作部。
【請求項５】
前記被係止部は、前記規制状態の際に前記当接面に当接する被当接面を有し、
前記被当接面は、前記移動方向に対して、前記解除方向に向かうに従い、前記移動方向の反対方向に向けて傾斜しており、
前記被係止部の前記被当接面が、前記係止部の前記当接面より、前記解除方向に向かうに従い、前記移動方向の反対方向に向けて急峻に傾斜していることを特徴とする請求項３に記載の給水装置用操作部。
【発明の詳細な説明】
【技術分野】
【０００１】
本発明は、給水装置用操作部に関するものである。
【背景技術】
【０００２】
特許文献１には、湯と水とを混合し、所望の温度の湯を吐出する水栓が開示されている。この水栓は、温調ハンドルに設けられた押しボタンを押さずに温調ハンドルを回動させると、押しボタンの規制部が非回動部材の第１壁部の端部に当接し、これにより、吐出する湯の温度が所定の温度以上にならないように温調ハンドルの回動を規制させることができる。そして、温調ハンドルの押しボタンを押すと、押しボタンの規制部が非回動部材の第１壁部の端部に当接しなくなる。これにより、さらに高い温度の湯が吐出される方向に温調ハンドルを回動することを許容することができる。
【先行技術文献】
【特許文献】
【０００３】
【特許文献１】特開２０１８−１３５７３１号公報
【発明の概要】
【発明が解決しようとする課題】
【０００４】
しかし、特許文献１の構造を採用する場合、押しボタンを押さず、温調ハンドルを回動させる方向に温調ハンドルに力を付与すると、押しボタンの規制部が非回動部材の第１壁部の端部に当接した状態で、自身が配置された領域におけるがたつきの範囲内で傾く。すると、押しボタンの規制部も非回動部材の第１壁部の端部に対して傾くことになる。これにより、押しボタンの規制部には非回動部材の第１壁部の端部から押しボタンが移動する方向に力が付与されることになる。
特許文献１の構造を採用しつつ、温調ハンドルの外径を小さくする場合、押しボタンの規制部、及び非回動部材の第１壁部のそれぞれの温調ハンドルの半径方向の厚みを薄くすることになる。この場合、押しボタンを押さず、温調ハンドルを回動させる方向に温調ハンドルに力を付与すると、押しボタンの規制部に付与される非回動部材の第１壁部の端部から押しボタンが移動する方向への力によって、規制部が第１壁部の端部に当接しない状態になり易く、押しボタンを押していないにもかかわらず温調ハンドルからさらに高い温度の湯が吐出される方向に回動してしまうおそれがある。
【０００５】
本発明は、上記従来の実情に鑑みてなされたものであって、確実に誤操作を防止することができる給水装置用操作部を提供することを解決すべき課題としている。
【課題を解決するための手段】
【０００６】
本発明の給水装置用操作部は、
給水装置本体に設けられた操作部材が操作された際の移動を規制又は許容する給水装置用操作部であって、
前記給水装置本体に設けられた係止部と、
前記操作部材に設けられ、前記係止部に係止する被係止部と、
前記係止部又は前記被係止部のいずれか一方に設けられ、前記係止部と前記被係止部とが係止して前記操作部材の移動を規制する規制状態から前記係止部と前記被係止部とが係止せず前記操作部材の移動を許容する許容状態に前記係止部又は前記被係止部のいずれか一方を移動させるボタンと、
を備え、
前記被係止部が前記係止部に係止することによって、前記係止部又は前記被係止部は、前記規制状態から前記許容状態にするために前記ボタンが移動する解除方向に移動し難くなることを特徴とする。
【０００７】
この給水装置用操作部は、規制状態の場合、被係止部が係止部に係止することによって、規制状態から許容状態になる方向に係止部、又は被係止部が移動し難くなる。このため、この給水装置用操作部は、ボタンが操作されていないときに操作部材が操作されても、規制状態における操作部材の移動を確実に規制することができる。
【０００８】
したがって、この給水装置用操作部は確実に誤操作を防止することができる。
【図面の簡単な説明】
【０００９】
【図１】図１は、実施例１の給水装置用操作部を備える給水装置を示す斜視図である。
【図２】図２は、実施例１の給水装置用操作部を備える給水装置の分解した状態を示す分解斜視図である。
【図３】図３は、給水装置本体の支持部の一部と切替部とを拡大して示す斜視図である。
【図４】図４は、給水装置本体の給水装置本体を下方から見た底面図である。
【図５】図５は、図３における矢視Ａ−Ａ断面図である。
【図６】図６は、操作部材の開口を拡大して示す斜視図である。
【図７】図７は、図１における矢視Ｃ−Ｃ断面図であり、（Ａ）は係止部本体と回動規制溝部とが係止していない状態を示し、（Ｂ）は係止部本体が傾斜面を摺動する状態を示し、（Ｃ）は係止部本体が内周面を摺動する状態を示し、（Ｄ）は係止部本体が回動規制溝部に係止する状態を示す。
【図８】図８は、図１における矢視Ｃ−Ｃ断面図であり、操作部材を給水装置本体から取り外す際に回動させ、係止部が傾き、当接面が被当接面に当接した状態である。
【図９】図９は、実施例２の給水装置用操作部を備える給水装置を示す斜視図である。
【図１０】図１０は、実施例２の給水装置用操作部を備える給水装置の分解した状態を示す分解斜視図である。
【図１１】図１１は、給水ユニットの円筒部を拡大して示す斜視図である。
【図１２】図１２は、給水ユニットの円筒部の一部と、操作部材の分解した状態とを示す分解斜視図である。
【図１３】図１３は、操作部材本体の一部、及び被係止部を拡大して示す斜視図である。
【図１４】図１４は、図１０における矢視Ｂ−Ｂ断面図であり、（Ａ）は被係止部の第６側面が第１内周面を摺動する状態を示し、（Ｂ）は被係止部の被当接面と第６側面の角部が当接面に当接した状態を示し、（Ｃ）は被係止部の第６側面が第２内周面を摺動する状態を示す。
【発明を実施するための形態】
【００１０】
本発明の給水装置用操作部のボタンは係止部に設けられ、係止部は、規制状態の際に被係止部が当接する当接面を有し、当接面は、規制状態の際に当接面に被係止部が当接するように操作部材が移動する移動方向に対して、解除方向に向かうに従い、移動方向に向けて傾斜し得る。
この場合、規制状態の際に操作部材が操作され、被係止部が当接面に当接すると、係止部には解除方向の反対方向の成分を含む力が付与されることになる。この力によって、この給水装置用操作部は当接面に当接した被係止部が係止部から外れ難くなるため、規制状態における操作部材の移動をより確実に規制することができる。
【００１１】
本発明の給水装置用操作部のボタンは被係止部に設けられ、係止部は、規制状態の際に被係止部が当接する当接面を有し、当接面は、規制状態の際に当接面に被係止部が当接するように操作部材が移動する移動方向に対して、解除方向に向かうに従い、移動方向の反対方向に向けて傾斜し得る。
この場合、規制状態の際に操作部材が操作され、被係止部が当接面に当接すると、被係止部には解除方向の反対方向の成分を含む力が付与されることになる。この力によって、この給水装置用操作部は当接面に当接した被係止部が係止部から外れ難くなるため、規制状態における操作部材の移動をより確実に規制することができる。
【００１２】
本発明の給水装置用操作部の被係止部は、規制状態の際に当接面に当接する被当接面を有し、被当接面は、移動方向に対して、解除方向に向かうに従い、移動方向に向けて傾斜しており、係止部の当接面が、被係止部の被当接面より、解除方向に向かうに従い、移動方向に向けて急峻に傾斜し得る。
この場合、この給水装置用操作部は、自身が配置される領域におけるがたつきの範囲内でボタンが設けられた係止部が傾いた場合であっても、被当接面と当接面とが点で接触することを避け、面で接触させることができる。これにより、この給水装置用操作部は、ボタンが設けられた係止部に解除方向の反対方向の成分を含む力が付与され易くすることができるため、係止部と被係止部とが互いに外れ難くなり、規制状態における操作部材の移動をさらに確実に規制することができる。
【００１３】
本発明の給水装置用操作部の被係止部は、規制状態の際に当接面に当接する被当接面を有し、被当接面は、移動方向に対して、解除方向に向かうに従い、移動方向の反対方向に向けて傾斜しており、被係止部の被当接面が、係止部の当接面より、解除方向に向かうに従い、移動方向の反対方向に向けて急峻に傾斜し得る。
この場合、この給水装置用操作部は、自身が配置される領域におけるがたつきの範囲内でボタンが設けられた被係止部が傾いた場合であっても、被当接面と当接面とが点で接触することを避け、面で接触させることができる。これにより、この給水装置用操作部は、ボタンが設けられた被係止部に解除方向の反対方向の成分を含む力が付与され易くすることができるため、係止部と被係止部とが互いに外れ難くなり、規制状態における操作部材の移動をさらに確実に規制することができる。
【００１４】
以下、本発明を具体化した実施例１、２について図を参照しつつ説明する。
【００１５】
＜実施例１＞
実施例１の給水装置用操作部を備える給水装置１は、流入口５２Ｂから流入する水を改質し、改質した改質水を流出口３５Ａから流出させることができる。この給水装置１は、図１、２に示すように、給水装置本体３０、操作部材５０を備えている。給水装置用操作部は給水装置本体３０に設けられた操作部材５０が操作された際の移動を規制又は許容する機能を有する。
【００１６】
給水装置本体３０は、第１カバー３１、支持部３２、切替部３３を有している。
第１カバー３１は上方（実施例１における上下は、図２における上側下側）から見た平面視において、ほぼＵ字状に形成されており、支持部３２、切替部３３が収納される。
支持部３２は給水装置本体３０を設置面に固定する機能を有する。支持部３２の上端には上下方向に伸びる手摺り３４が連結されている。
【００１７】
切替部３３は、図３に示すように、切替部本体３５、切替部材３６、係止部３７、案内部３８、及び板ばね３９を具備している。切替部本体３５は、ほぼ円筒状をなして、上下方向に伸びており支持部３２に連結されている。切替部本体３５には、原水又は後述する操作部材５０で改質された改質水が流出する流出口３５Ａが連通している。切替部本体３５の下端部の外周縁部には、円筒状の半径方向に突出した４つの突出部３５Ｂが設けられている（図４参照。）。各突出部３５Ｂは、切替部本体３５の外周面に、隣り合う間の間隔が等しくなるように周方向に並んで配置されている（図４参照。）。
【００１８】
切替部材３６は、切替部本体３５の中心軸に直行する方向から見て、四隅が弧状に形成されたほぼ四角形状をなしている。切替部材３６は使用者に操作されることによって流出口３５Ａから流出する水を原水又は改質水を切り替える機能を有している。
【００１９】
給水装置用操作部の構成要素である係止部３７は、切替部材３６の下側に隣り合い配置されている。係止部３７は、基部３７Ａ、ボタン３７Ｂ、及び係止部本体３７Ｃを具備している。基部３７Ａは、板状をなし切替部本体３５の外周面に沿うように配置されて、切替部本体３５の中心軸方向に伸びて形成されている。
給水装置用操作部の構成要素であるボタン３７Ｂは円柱状をなしている。ボタン３７Ｂは中心軸が切替部本体３５の中心軸に直行するように配置され、基部３７Ａから切替部本体３５の中心軸から離れる方向に突出している。
係止部本体３７Ｃは、基部３７Ａが伸びる方向に沿って伸び、基部３７Ａから切替部本体３５の中心軸から離れる方向に突出している。係止部本体３７Ｃは切替部本体３５の４つの突出部３５Ｂの内の１つの上側に隣り合っている。係止部３７は給水装置本体３０に設けられている。
【００２０】
係止部本体３７Ｃには、図５に示すように、第１側面３７Ｄ、第２側面３７Ｅ、及び第３側面３７Ｆが形成されている。第１側面３７Ｄ、第２側面３７Ｅ、第３側面３７Ｆは切替部本体３５の中心軸に平行に広がっている。第１側面３７Ｄは切替部本体３５の外周面に沿うように弧状をなしている。第１側面３７Ｄの左右方向（実施例１における左右は図１における手前側奥側であり、図５における左側右側）の寸法は、切替部本体３５の突出部３５Ｂの左右方向の寸法より小さい（図３参照。）。ボタン３７Ｂが操作されていない状態での第１側面３７Ｄの切替部本体３５の中心軸からの寸法は、突出部３５Ｂの切替部本体３５の中心軸から最も離れた面とほぼ同じである（図示せず。）。
【００２１】
第２側面３７Ｅは、第１側面３７Ｄの左端縁に連続して、切替部本体３５の中心軸に向かう方向に広がっている。第３側面３７Ｆは、第１側面３７Ｄの右端縁に連続して、切替部本体３５の中心軸に向かう方向に広がっている。下方から見た底面視における、第２側面３７Ｅと第１側面３７Ｄの左端部とがなす角度θ１は９０°より大きく（すなわち、鈍角）、第３側面３７Ｆと第１側面３７Ｄの右端部とがなす角度θ２も９０°より大きく（すなわち、鈍角）、θ１より小さい。
第３側面３７Ｆの上下中央部には当接面３７Ｇが形成されている。当接面３７Ｇは、第１側面３７Ｄの右端縁に連続して、切替部本体３５の中心軸に向かう方向に広がっている。下方から見た底面視における、当接面３７Ｇと第１側面３７Ｄの右端部とがなす角度θ３は９０°より小さい（すなわち、鋭角）（図７（Ａ）参照。）。
【００２２】
案内部３８は、図３に示すように、係止部３７の基部３７Ａの一部を覆い、切替部本体３５の外周面にネジＳを用いて連結される。案内部３８には案内孔３８Ａが貫通して形成されている。案内孔３８Ａは切替部本体３５の中心軸に直行する方向に貫通している。案内孔３８Ａにはボタン３７Ｂが挿通される。ボタン３７Ｂの先端部は案内孔３８Ａから突出する。案内孔３８Ａはボタン３７Ｂが操作された際にボタン３７Ｂを案内する。案内孔３８Ａの内径はボタン３７Ｂの外径より僅かに大きい。
板ばね３９は左右方向に伸びて形成されている。板ばね３９は、左右中央部が係止部３７の基部３７Ａの切替部本体３５側の面に当接し、左右両端部が案内部３８に係止されている（図示せず。）。板ばね３９は係止部３７の基部３７Ａに対して切替部本体３５の中心軸から離れる方向に付勢力を付与する。
【００２３】
操作部材５０は給水装置本体３０に着脱自在に連結される。操作部材５０は後述する流入口５２Ｂから流入した原水を後述するカートリッジ５３によって改質水に改質することができる。流入口５２Ｂから流入した原水、又はカートリッジ５３によって改質された改質水は給水装置本体３０の切替部本体３５を経由して流出口３５Ａから流出する。
【００２４】
操作部材５０は、図２に示すように、第２カバー５１、ケース５２、及びカートリッジ５３を有している。第２カバー５１は上下方向に伸びて上端と下端が開口した筒状に形成されている。第２カバー５１はケース５２を収納する。ケース５２は上下方向に伸びて形成されている。ケース５２には、後述するカートリッジ５３を収容するための空間５２Ａが形成されている。空間５２Ａはほぼ円筒状をなしている。空間５２Ａの上端はケース５２の上端面に開口している。空間５２Ａの底は、ケース５２の下端部に位置している。ケース５２の下端部には原水が流入する流入口５２Ｂが形成されている。流入口５２Ｂは空間５２Ａの底部に連通している。
【００２５】
カートリッジ５３はほぼ円柱状をなしている。カートリッジ５３は操作部材５０が給水装置本体３０から取り外された状態でケース５２の空間５２Ａの開口か空間５２Ａに対して出し入れすることができる。カートリッジ５３には原水を改質することができる素材（例えば、活性炭、中空糸膜、亜硫酸カルシウム、又はアスコルビン酸等）が収納されている。
【００２６】
ケース５２の空間５２Ａの開口側の端部には、図６に示すように、４つの溝部５２Ｃ、及び被係止部であり給水装置用操作部の構成要素である回動規制溝部５２Ｄが形成されている。回動規制溝部５２Ｄは操作部材５０に設けられている。４つの溝部５２Ｃ、及び回動規制溝部５２Ｄは、空間５２Ａの上端部の内周面５２Ｅ（以下、内周面５２Ｅともいう）から空間５２Ａの中心軸から離れる方向に窪んで形成されている。各溝部５２Ｃは、切替部本体３５の各突出部３５Ｂに対応しており、内周面５２Ｅの周方向に並んで配置されている。各溝部５２Ｃは，空間５２Ａの中心軸方向に伸びる第１溝部５２Ｆと、上方から見た平面視において、開口から離れた第１溝部５２Ｆの端部から内周面５２Ｅの周方向において時計方向に伸びる第２溝部５２Ｎとを具備している。
【００２７】
回動規制溝部５２Ｄは係止部３７の係止部本体３７Ｃに対応している。回動規制溝部５２Ｄは第４側面５２Ｈ、第５側面５２Ｊ、及び被当接面５２Ｋを具備している。第４側面５２Ｈ、第５側面５２Ｊ、及び被当接面５２Ｋは空間５２Ａの中心軸に平行に広がっている。第４側面５２Ｈは、内周面５２Ｅに沿うように弧状に広がり、内周面５２Ｅよりも空間５２Ａの中心軸から離れている。第５側面５２Ｊは、第４側面５２Ｈの左端縁に連続して、空間５２Ａの中心軸に向けて伸びて、内周面５２Ｅに連続している。被当接面５２Ｋは、第４側面５２Ｈの右端縁に連続して、空間５２Ａの中心軸に向けて伸びている。上方から見た平面視における、被当接面５２Ｋと第４側面５２Ｈの右端部とがなす角度θ４は９０°より小さい（すなわち、鋭角）。また、角度θ４は角度θ３より大きい（図７（Ａ）参照。）。回動規制溝部５２Ｄの右側に隣り合う第１溝部５２Ｆには傾斜面５２Ｌが形成されている。傾斜面５２Ｌは、回動規制溝部５２Ｄの右側に隣り合う第１溝部５２Ｆにおいて、内周面５２Ｅよりも空間５２Ａの中心軸から離れた面（以下、底面５２Ｍともいう）と、回動規制溝部５２Ｄとこの第１溝部５２Ｆとの間に位置する内周面５２Ｅとに連続している。
【００２８】
給水装置本体３０に操作部材５０を取り付ける場合について説明する。
先ず、ケース５２の各溝部５２Ｃのそれぞれの第１溝部５２Ｆを切替部本体３５の各突出部３５Ｂの位置に合わせる。そして、給水装置本体３０に操作部材５０の空間５２Ａの開口を近づけて、各第１溝部５２Ｆを各突出部３５Ｂに嵌合させる。このとき、図７（Ａ）に示すように、係止部３７の係止部本体３７Ｃの第２側面３７Ｅと第１側面３７Ｄとが連続する角部Ｃ１（以下角部Ｃ１ともいう）を傾斜面５２Ｌと底面５２Ｍとが連続する位置の近傍に配置される。
【００２９】
そして、各突出部３５Ｂが各第１溝部５２Ｆと各第２溝部５２Ｎが連続する位置に到達したところで、上方から見た平面視において、給水装置本体３０に対して操作部材５０を空間５２Ａの中心軸周りに反時計方向に回動させるように操作する。すると、切替部本体３５の各突出部３５Ｂが各第２溝部５２Ｎに嵌まる。このとき、角部Ｃ１は、傾斜面５２Ｌを摺動し、回動規制溝部５２Ｄと第１溝部５２Ｆとの間の内周面５２Ｅに向けて移動する（図７（Ｂ）参照。）。角部Ｃ１が傾斜面５２Ｌを摺動する際、係止部３７は切替部本体３５の中心軸に近づく方向に移動する。ここで、係止部本体３７Ｃの第２側面３７Ｅと第１側面３７Ｄの左端部とがなす角度θ１は９０°より大きい（すなわち、鈍角）。これにより、係止部本体３７Ｃは、傾斜面５２Ｌに当接しつつ、滑らかに摺動することができる。
【００３０】
そして、操作部材５０を空間５２Ａの中心軸周りの反時計方向にさらに回動させるように操作すると、係止部本体３７Ｃの第１側面３７Ｄは、回動規制溝部５２Ｄと第１溝部５２Ｆとの間の内周面５２Ｅに当接し、回動規制溝部５２Ｄの被当接面５２Ｋに向けて摺動する（図７（Ｃ）参照。）。このとき、係止部３７は操作部材５０を空間５２Ａの中心軸周りの時計方向への回動を許容する許容状態（以下、許容状態ともいう）である。
そして、係止部本体３７Ｃの当接面３７Ｇと第１側面３７Ｄとが連続する角部Ｃ２（以下、角部Ｃ２ともいう）が回動規制溝部５２Ｇの被当接面５２Ｋに到達すると、板ばね３９の付勢力によって、係止部本体３７Ｃの第１側面３７Ｄが回動規制溝部５２Ｄの第４側面５２Ｈに近づく方向に係止部３７が移動する（図７（Ｄ）参照。）。これにより、係止部３７は回動規制溝部５２Ｇに係止して、操作部材５０の空間５２Ａの中心軸周りの時計方向への移動を規制する規制状態（以下、規制状態ともいう）になる。こうして、操作部材５０を給水装置本体３０に取り付けることができる。
なお、操作部材５０に形成された傾斜面５２Ｌによって、係止部３７のボタン３７Ｂを押して操作しなくても操作部材５０を給水装置本体３０に取り付けることができる。つまり、係止部３７のボタン３７Ｂを押して操作する必要がないため、操作部材５０は給水装置本体３０に簡単に取り付けることができる。
【００３１】
給水装置本体３０に操作部材５０が取り付けられた状態において、係止部３７のボタン３７Ｂを押さずに（すなわち、規制状態のときに）、上方から見た平面視において、操作部材５０を空間５２Ａの中心軸周りの時計方向に回動させるように操作した場合について説明する。
この場合、角部Ｃ２が回動規制溝部５２Ｇの被当接面５２Ｋに当接する。そして、さらに操作部材５０を空間５２Ａの中心軸周りの時計方向に回動させるように操作すると、係止部３７は、自身が配置された領域におけるがたつきの範囲で傾き、当接面３７Ｇと回動規制溝部５２Ｇの被当接面５２Ｋとが当接する（図８参照。）。
【００３２】
当接面３７Ｇ、及び被当接面５２Ｋは、図８に示すように、規制状態の際に当接面３７Ｇに回動規制溝部５２Ｇの被当接面５２Ｋが当接するように操作部材５０が移動する移動方向Ｄ１（以下、移動方向Ｄ１ともいう）に対して、規制状態から許容状態にするためにボタン３７Ｂが移動する解除方向Ｒ１（以下、解除方向Ｒ１ともいう）に向かうに従い、移動方向Ｄ１に向けて傾斜している。また、ボタン３７Ｂが設けられた係止部３７の当接面３７Ｇは、ボタンが設けられていない回動規制溝部５２Ｇの被当接面５２Ｋより、解除方向Ｒ１に向かうに従い、移動方向Ｄ１に向けて急峻に傾斜している（図７（Ｄ）参照。）。
このとき、係止部本体３７Ｃには、内周面５２Ｅに沿う方向に係止部本体３７Ｃから回動規制溝部５２Ｇの被当接面５２Ｋに向けて力Ｆが付与されることになる。力Ｆは回動規制溝部５２Ｇの被当接面５２Ｋに垂直な方向と、被当接面５２Ｋに沿う方向とのそれぞれに力Ｆｖ、力Ｆｐとして分力される。力Ｆｖは、回動規制溝部５２Ｇの被当接面５２Ｋから当接面３７Ｇに対して生じる反力Ｆｒと相殺される。そして、力Ｆｐは係止部本体３７Ｃを回動規制溝部５２Ｇの第４側面５２Ｈに向けて移動させる方向（すなわち、切替部本体３５の中心軸から離れる方向であり、解除方向Ｒ１の反対方向）に係止部本体３７Ｃに作用する。これにより、係止部本体３７Ｃの当接面３７Ｇは回動規制溝部５２Ｇの被当接面５２Ｋから外れ難くなる。つまり、回動規制溝部５２Ｇが係止部３７に係止することによって、係止部３７は、規制状態から許容状態にするためにボタン３７Ｂが移動する方向（すなわち、切替部本体３５の中心軸に向かう方向）である解除方向Ｒ１に移動し難くなる。このため、係止部３７のボタン３７Ｂを操作せずに操作部材５０を操作しても、給水装置用操作部は給水装置本体３０に対して操作部材５０が回動することをより良好に規制することができる。
【００３３】
給水装置本体３０から操作部材５０を取り外す場合には、係止部３７のボタン３７Ｂを押しつつ、上方から見た平面視において、操作部材５０を空間５２Ａの中心軸周りの時計方向に回動させる。ボタン３７Ｂが押されると、係止部３７も切替部本体３５の中心軸に近づく方向に移動する。すると、角部Ｃ２が、内周面５２Ｅよりも空間５２Ａの中心軸に近づく。このとき、係止部３７の当接面３７Ｇと回動規制溝部５２Ｄの被当接面５２Ｋとは互いに係止せず、操作部材５０の空間５２Ａの中心軸周りの時計方向への移動を許容する許容状態である。つまり、ボタン３７Ｂは規制状態から許容状態になるように係止部３７を移動させる。このとき、係止部３７が移動する方向（すなわち、切替部本体３５の中心軸に向かう方向）は解除方向Ｒ１である。これにより、上方から見た平面視において、操作部材５０を空間５２Ａの中心軸周りの時計方向に回動させて、各第２溝部５２Ｎから各突出部３５Ｂが外れる。こうして、操作部材５０は給水装置本体３０から取り外すことができる。
【００３４】
このように、給水装置用操作部は、規制状態の場合、回動規制溝部５２Ｇが係止部３７に係止することによって、規制状態から許容状態になる方向に係止部３７が移動し難くなる。このため、給水装置用操作部は、ボタン３７Ｂが操作されていないときに操作部材５０が操作されても、規制状態における操作部材５０の移動を確実に規制することができる。
【００３５】
したがって、給水装置用操作部は確実に誤操作を防止することができる。
【００３６】
給水装置用操作部のボタン３７Ｂは、係止部３７に設けられ、係止部３７は、規制状態の際に回動規制溝部５２Ｇが当接する当接面３７Ｇを有し、当接面３７Ｇは、規制状態の際に当接面３７Ｇに回動規制溝部５２Ｇが当接するように操作部材５０が移動する移動方向Ｄ１に対して、解除方向Ｒ１に向かうに従い、移動方向Ｄ１に向けて傾斜している。このため、規制状態の際に操作部材５０が操作され、回動規制溝部５２Ｇの被当接面５２Ｋが当接面３７Ｇに当接すると、回動規制溝部５２Ｇには解除方向Ｒ１の反対方向の成分を含む力が付与されることになる。この力によって、給水装置用操作部は係止部３７の当接面３７Ｇに当接した回動規制溝部５２Ｇの被当接面５２Ｋが係止部３７の当接面３７Ｇから外れ難くなるため、規制状態における操作部材５０の移動をより確実に規制することができる。
【００３７】
給水装置用操作部の回動規制溝部５２Ｇは、規制状態の際に当接面３７Ｇに当接する被当接面５２Ｋを有し、被当接面５２Ｋは、移動方向Ｄ１に対して、解除方向Ｒ１に向かうに従い、移動方向Ｄ１に向けて傾斜しており、係止部３７の当接面３７Ｇが、回動規制溝部５２Ｇの被当接面５２Ｋより、解除方向Ｒ１に向かうに従い、移動方向Ｄ１に向けて急峻に傾斜している。
このため、給水装置用操作部は、自身が配置される領域におけるがたつきの範囲内でボタン３７Ｂが設けられた係止部３７が傾いた場合であっても、被当接面５２Ｋと当接面３７Ｇとが点で接触することを避け、面で接触させることができる。これにより、給水装置用操作部は、ボタン３７Ｂが設けられた係止部３７に解除方向Ｒ１の反対方向の成分を含む力が付与され易くすることができるため、係止部３７と回動規制溝部５２Ｇとが互いに外れ難くなり、規制状態における操作部材５０の移動をさらに確実に規制することができる。
【００３８】
＜実施例２＞
実施例２の給水装置用操作部を備える給水装置２は、流入した湯と水とが混合する比率を変化させて、使用者の所望の温度の湯又は水を給水することができる。給水装置２は、図９に示すように、給水装置本体１３０、及び操作部材１５０を備えている。給水装置本体１３０は、図１０に示すように、アッパカバー１３１Ａ、ロアカバー１３１Ｂ、リヤカバー１３１Ｃ、及び給水ユニット１３２を備えており、全体として幅寸法に比べて高さ寸法の小さい偏平なブロック状をなす。給水装置２は給水装置本体１３０が浴室の壁面等の設置面に固定して設置される。
【００３９】
アッパカバー１３１Ａ、ロアカバー１３１Ｂ、リヤカバー１３１Ｃは、給水ユニット１３２を覆うように配置される。
給水ユニット１３２は、給水温度を調節するための温度調節機能と、給水形態を止水、シャワー（図示せず）及びカラン（図示せず）のいずれかに切り換えるための流路切換機能を備えている。給水ユニット１３２はほぼ円柱状をなしており、左右方向（実施例２における左右は、図１０における左側右側）に伸びて形成されている。
【００４０】
給水ユニット１３２は、左側に温調用バルブユニット（図示せず）が収納され、右側に流路切換用バルブユニット（図示せず）が収納されている。給水ユニット１３２には、温調用バルブユニット及び流路切換用バルブユニットに水を供給するための給水用接続部１３２Ａと、温調用バルブユニット及び流路切換用バルブユニットに湯を供給するための給湯用接続部１３２Ｂとが設けられている。
【００４１】
給水ユニット１３２にはハンドル１３３が連結されている。ハンドル１３３は給水装置２からの給水を止水、又はシャワー及びカランのいずれかに切り換えることができる。ハンドル１３３は、全体として給水ユニット１３２の中心軸に平行に左右方向に伸びている。ハンドル１３３の右端部にはほぼ円筒状をなして中心軸を左右方向に向けた継手ユニット１３３Ａが設けられている。ハンドル１３３の左端部には継手ユニット１３３Ａの中心軸に同軸状に円環状に形成された円環部１３３Ｂが設けられている。
【００４２】
ハンドル１３３の円環部１３３Ｂは給水ユニット１３２の左端部に回転自在に外嵌される。ハンドル１３３の継手ユニット１３３Ａは、給水ユニット１３２の右端部に同軸状に配置され、流路切換用バルブユニットに連結される（図示せず。）。
【００４３】
給水ユニット１３２の左端部には、ほぼ円筒状をなして、給水ユニット１３２の中心軸に同軸状に、係止部である円筒部１３４が設けられている。円筒部１３４は給水装置用操作部の構成要素である。
円筒部１３４の内側には、図１１に示すように、第１内周面１３４Ａ、当接面１３４Ｂ、及び第２内周面１３４Ｃが形成されている。第１内周面１３４Ａは、半円状をなし、給水ユニット１３２の中心軸と同軸状に形成されている。当接面１３４Ｂは、第１内周面１３４Ａの周方向の一端に連続して、給水ユニット１３２の中心軸に向けて拡がっている。第２内周面１３４Ｃは、弧状をなし、給水ユニット１３２の中心軸周りの第１内周面１３４Ａが配置されていない側に給水ユニット１３２の中心軸を囲むように配置されている。第２内周面１３４Ｃの周方向の一端は、当接面１３４Ｂの給水ユニット１３２の中心軸側の縁に連続している。第２内周面１３４Ｃの周方向の他端部は第１内周面１３４Ａの曲率と同じであり、第１内周面１３４Ａと同軸状に配置されている。第１内周面１３４Ａの他端と第２内周面１３４Ｃの他端との間には、給水ユニット１３２の中心軸に向けて突出する突起部１３４Ｄが形成されている。給水ユニット１３２の中心軸側に位置する突起部１３４Ｄの先端部には、第１内周面１３４Ａの他端部と第２内周面１３４Ｃの他端部に沿うように一対の壁部１３４Ｅが形成されている。当接面１３４Ｂと第１内周面１３４Ａの一端部とがなす角度θ５は９０°より小さい（すなわち、鋭角）。
【００４４】
操作部材１５０は操作することによって給水温度を調節することができる。操作部材１５０は、図１２に示すように、操作部材本体１５１、被係止部１５２、板ばね１５３を具備している。
操作部材本体１５１はほぼ円筒状をなした外側円筒部１５１Ａ、及び外側円筒部１５１Ａより外径が小さい内側円筒部１５１Ｂを具備している。操作部材本体１５１は給水ユニット１３２の中心軸に同軸状に配置され、給水ユニット１３２の左側面から左方へ突出して取り付けられている。外側円筒部１５１Ａの上側（実施例２における上下は、図１２における上側下側である）には、中心軸に直行して上下方向に貫通して案内孔１５１Ｃが形成されている。外側円筒部１５１Ａの下側には、中心軸から放射方向に突出してつまみ部１５１Ｄが設けられている。内側円筒部１５１Ｂは、ほぼ円筒状をなして外側円筒部１５１Ａと同軸状に配置され、左端部が外側円筒部１５１Ａの左端部に連結されている。内側円筒部１５１Ｂの右端部は温調用バルブユニットの弁体（図示せず）に連結されており、操作部材１５０を操作することによって、温調用バルブユニットの弁体を操作することができる。操作部材本体１５１の左端には、円盤状をなし、外側円筒部１５１Ａの左端を塞ぐように配置された蓋１５１Ｅが取り付けられている。
【００４５】
給水装置用操作部の構成要素である被係止部１５２は基部１５２Ａ、ボタン１５２Ｂ、及び被係止部本体１５２Ｃを具備している。
基部１５２Ａは操作部材本体１５１の中心軸方向に長く形成されたほぼ直方体状に形成されている。基部１５２Ａは、外側円筒部１５１Ａと内側円筒部１５１Ｂとの間であって、案内孔１５１Ｃを塞ぐように配置されている（図１３参照。）。
給水装置用操作部の構成要素であるボタン１５２Ｂは、操作部材本体１５１の中心軸方向に長く形成されたほぼ直方体状に形成されている。ボタン１５２Ｂは、上方から見た平面視において、外形が基部１５２Ａより小さい。ボタン１５２Ｂは、外側円筒部１５１Ａの案内孔１５１Ｃに挿通され、基部１５２Ａの上側に連結されている（図１３参照。）。つまり、ボタン１５２Ｂは被係止部１５２に設けられている。
被係止部本体１５２Ｃは、外側円筒部１５１Ａの中心軸の周方向に沿うように弧状をなして、基部１５２Ａの右側から右方に突出している。
【００４６】
被係止部本体１５２Ｃには、図１３に示すように、第６側面１５２Ｄ、被当接面１５２Ｅ、及び第７側面１５２Ｆが形成されている。第６側面１５２Ｄ、被当接面１５２Ｅ、及び第７側面１５２Ｆは外側円筒部１５１Ａの中心軸に平行に広がっている。第６側面１５２Ｄは外側円筒部１５１Ａの中心軸の周方向に沿うように弧状をなして広がっている。
【００４７】
給水温度が所定の温度（例えば、４０℃）以下の状態で、ボタン１５２Ｂが押されていない場合には、第６側面１５２Ｄは第１内周面１３４Ａに当接する（図１４（Ａ）、（Ｂ）参照。）。このとき、被係止部１５２は、左方からの側面視において、円筒部１３４に係止して、操作部材１５０の外側円筒部１５１Ａの中心軸周りの反時計方向への移動を規制する規制状態（以下、規制状態ともいう）である。
給水温度が所定の温度（例えば、４０℃）より大きい状態で、ボタン１５２Ｂが押されていない場合には、第６側面１５２Ｄは第２内周面１３４Ｃに当接する（図１４（Ｃ）参照。）。このとき、被係止部１５２は、左方からの側面視において、操作部材１５０を外側円筒部１５１Ａの中心軸周りの反時計方向への回動を許容する許容状態（以下、許容状態ともいう）である。
当接面１３４Ｂ、及び被当接面１５２Ｅは、規制状態の際に当接面１３４Ｂに被当接面１５２Ｅが当接するように操作部材１５０が移動する移動方向Ｄ２（以下、移動方向Ｄ２ともいう）に対して、規制状態から許容状態にするためにボタン１５２Ｂが移動する解除方向Ｒ２（以下、解除方向Ｒ２ともいう）に向かうに従い、移動方向Ｄ２の反対方向に向けて傾斜している（図１４（Ｂ）参照。）。
ボタン１５２Ｂが設けられた被係止部１５２の被当接面１５２Ｅは、ボタンが設けられていない円筒部１３４の当接面１３４Ｂより、解除方向Ｒ２に向かうに従い、移動方向Ｄ２の反対方向に向けて急峻に傾斜している（図１４（Ｂ）参照。）。
【００４８】
被当接面１５２Ｅは、第６側面１５２Ｄの後端縁（実施例２における前後は、図１３における左側右側である）に連続して、外側円筒部１５１Ａの中心軸に向かう方向に広がっている。第７側面１５２Ｆは、第６側面１５２Ｄの前端縁に連続して、外側円筒部１５１Ａの中心軸に向かう方向に広がっている。被当接面１５２Ｅと第６側面１５２Ｄの後端部とがなす角度θ６は９０°より小さく（すなわち、鋭角）、第７側面１５２Ｆと第６側面１５２Ｄの前端部とがなす角度θ７は９０°より大きい（すなわち、鈍角）。また、角度θ６はθ５より小さい（図１４（Ａ）参照。）。
【００４９】
板ばね１５３は前後方向に伸びて形成されている。板ばね１５３は、前後中央部が被係止部１５２の基部１５２Ａの下面に当接し、前後両端部が内側円筒部１５１Ｂに係止されている。板ばね１５３は被係止部１２の基部１５２Ａに対して外側円筒部１５１Ａの中心軸から離れる方向に付勢力を付与する。
【００５０】
操作部材１５０を回動させて、給水温度を所定の温度（例えば４０℃）以下の状態から所定の温度より大きい状態にする場合について説明する。
給水温度が所定の温度以下の状態である場合、被係止部１５２の第６側面１５２Ｄは、図１４（Ａ）に示すように、給水ユニット１３２の円筒部１３４の第１内周面１３４Ａに当接した状態である。
【００５１】
そして、左方からの側面視において、被係止部１５２のボタン１５２Ｂを押さずに操作部材１５０を外側円筒部１５１Ａの中心軸周りに反時計方向に回動させる。すると、被係止部１５２の被当接面１５２Ｅと第６側面１５２Ｄとが連続する角部Ｃ３（以下、角部Ｃ３ともいう）が給水ユニット１３２の円筒部１３４の当接面１３４Ｂに当接する（図１４（Ｂ）参照。）。
さらに、操作部材１５０を外側円筒部１５１Ａの中心軸周りの反時計方向に回動させるように操作すると、被係止部１５２は、自身が配置された領域におけるがたつきの範囲で傾き、当接面１３４Ｂと被当接面１５２Ｅとが当接する（図示せず。）。
【００５２】
そして、操作部材１５０に外側円筒部１５１Ａの反時計方向に回動するように力を付与しつつ、被係止部１５２のボタン１５２Ｂを押すと、角部Ｃ３又は被当接面１５２Ｅが当接面１３４Ｂを摺動しつつ、被係止部１５２は外側円筒部１５１Ａの中心軸に向かう方向に移動する。これにより、角部Ｃ３が、給水ユニット１３２の円筒部１３４の当接面１３４Ｂと第２内周面１３４Ｃとが連続する角部Ｃ４（以下、角部Ｃ４ともいう）に向けて移動する。そして、角部Ｃ３が角部Ｃ４到達し、被当接面１５２Ｅと当接面１３４Ｂとが当接しなくなると、操作部材１５０が反時計方向にさらに回動する。すると、被係止部１５２の第６側面１５２Ｄは、給水ユニット１３２の円筒部１３４の第２内周面１３４Ｃに当接し、第２内周面１３４Ｃを摺動する（図１４（Ｃ）参照。）。こうして、給水装置用操作部は給水温度を所定の温度以下の状態から所定の温度より大きい状態にすることができる。
【００５３】
操作部材１５０を回動させて、給水温度を所定の温度より大きい状態から所定の温度以下の状態にする場合について説明する。
給水温度が所定の温度以上の状態である場合、被係止部１５２の第６側面１５２Ｄは、給水ユニット１３２の円筒部１３４の第２内周面１３４Ｃに当接した状態である。そして、左方からの側面視において、被係止部１５２のボタン１５２Ｂを押さずに操作部材１５０を外側円筒部１５１Ａの中心軸周りに時計方向に回動させる。すると、被係止部１５２の第６側面１５２Ｄは給水ユニット１３２の円筒部１３４の第２内周面１３４Ｃを摺動する。そして、角部Ｃ３が角部Ｃ４に到達すると、被係止部１５２は板ばね１５３の付勢力によって、外側円筒部１５１Ａの中心軸から離れる方向に移動する。こうして、被係止部１５２の第６側面１５２Ｄが給水ユニット１３２の円筒部１３４の第１内周面１３４Ａに当接する。これにより、操作部材１５０は時計方向にさらに回動することができる。こうして、給水装置用操作部は給水温度を所定の温度より大きい状態から所定の温度以下の状態にすることができる。
【００５４】
このように、給水装置用操作部は、規制状態の場合、被係止部１５２が円筒部１３４に係止することによって、規制状態から許容状態になる方向に被係止部１５２が移動し難くなる。このため、給水装置用操作部は、ボタン１５２Ｂが操作されていないとき操作部材１５０が操作されても、規制状態における操作部材１５０の移動を確実に規制することができる。
【００５５】
したがって、給水装置用操作部も確実に誤操作を防止することができる。
【００５６】
給水装置用操作部のボタン１５２Ｂは被係止部１５２に設けられ、円筒部１３４は、規制状態の際に被係止部１５２が当接する当接面１３４Ｂを有し、当接面１３４Ｂは、規制状態の際に当接面１３４Ｂに被係止部１５２が当接するように操作部材１５０が移動する移動方向Ｄ２に対して、解除方向Ｒ２に向かうに従い、移動方向Ｄ２の反対方向に向けて傾斜している。
このため、規制状態の際に操作部材１５０が操作され、被係止部１５２が当接面１３４Ｂに当接すると、被係止部１５２には解除方向Ｒ２の反対方向の成分を含む力が付与されることになる。この力によって、給水装置用操作部は当接面１３４Ｂに当接した被係止部１５２の被当接面１５２Ｅが円筒部１３４の当接面１３４Ｂから外れ難くなるため、規制状態における操作部材１５０の移動をより確実に規制することができる。
【００５７】
給水装置用操作部の被係止部１５２は、規制状態の際に当接面１３４Ｂに当接する被当接面１５２Ｅを有し、被当接面１５２Ｅは、移動方向Ｄ２に対して、解除方向Ｒ２に向かうに従い、移動方向Ｄ２の反対方向に向けて傾斜しており、被係止部１５２の被当接面１５２Ｅが、円筒部１３４の当接面１３４Ｂより、解除方向Ｒ２に向かうに従い、移動方向Ｄ２の反対方向に向けて急峻に傾斜する。
このため、給水装置用操作部は、自身が配置される領域におけるがたつきの範囲内でボタン１５２Ｂが設けられた被係止部１５２が傾いた場合であっても、被当接面１５２Ｅと当接面１３４Ｂとが点で接触することを避け、面で接触させることができる。これにより、給水装置用操作部は、ボタン１５２Ｂが設けられた被係止部１５２に解除方向Ｒ２の反対方向の成分を含む力が付与され易くすることができるため、円筒部１３４と被係止部１５２とが互いに外れ難くなり、規制状態における操作部材１５０の移動をさらに確実に規制することができる。
【００５８】
＜他の実施例＞
本発明は上記記述及び図面によって説明した実施例に限定されるものではなく、例えば次のような実施例も本発明の技術的範囲に含まれる。
（１）実施例１、２では、操作部材が回動する構成であるが、操作部材が直線的に移動する構成であってもよい。
【符号の説明】
【００５９】
１，２…給水装置
３０，１３０…給水装置本体
３７…係止部
３７Ｂ，１５２Ｂ…ボタン
３７Ｇ，１３４Ｂ…当接面
５０，１５０…操作部材
５２Ｇ…回動規制溝部（被係止部）
５２Ｋ，１５２Ｅ…被当接面
１３４…円筒部（係止部）
１５２…被係止部
【図１】
2020133221.tif 000003
【図２】
2020133221.tif 000004
【図３】
2020133221.tif 000005
【図４】
2020133221.tif 000006
【図５】
2020133221.tif 000007
【図６】
2020133221.tif 000008
【図７】
2020133221.tif 000009
【図８】
2020133221.tif 000010
【図９】
2020133221.tif 000011
【図１０】
2020133221.tif 000012
【図１１】
2020133221.tif 000013
【図１２】
2020133221.tif 000014
【図１３】
2020133221.tif 000015
【図１４】
2020133221.tif 000016